(57)【要約】【課題】使用者に対して不快感を与えることなく、また、負担をかけることなく、さらには、鼻孔内の空気の流通を十分に確保しつつ、かつ、皮膚への負担を少なくして、確実に鼻水の漏れ防止できる鼻水漏れ防止器具を提供すること。【解決手段】シリコンゴム等の可撓性部材をＵ字形状に形成して係止部２とし、係止部２の一端には、綿棒等に使用する超極細糸を球形状にして吸水部３として取り付け、他端には、小鼻と接触する接触面を形成する。【選択図】図１
0003150606.tif 000002
【実用新案登録請求の範囲】
【請求項１】
Ｕ字形状の可撓性部材から成る係止部と、
前記係止部の一端に取り付けられる吸水部と、
を備え、
前記係止部の他端には、前記吸水部との間で小鼻を挟持するためのリング状が設けられている、
ことを特徴とする鼻水漏れ防止器具。
【請求項２】
前記係止部は、シリコンゴムから成ることを特徴とする請求項１記載の鼻水漏れ防止器具。
【請求項３】
前記吸水部は、超極細糸からなることを特徴とする請求項１または２記載の鼻水漏れ防止器具。
【考案の詳細な説明】
【技術分野】
【０００１】  本考案は、装着が容易で、呼吸を妨げることなく、かつ、確実に鼻水の漏れを防止することのできる鼻水漏れ防止器具に関する。
【背景技術】
【０００２】  従来、鼻水の漏れを防止するためには、その都度鼻をかむか、あるいは、ティッシュ等で鼻腔に栓をするか、もしくは、マスク全体で鼻水を吸着させる手法が採られていた。【０００３】  しかしながら、両手を使用して作業をしている時などには、鼻水が出る度に鼻をかむのは困難である。また、ティッシュ等で鼻腔に栓をするのは、見た目が悪く、特に女性には抵抗がある。さらに、マスク全体で鼻水を吸着させる手法では、何度も鼻水の除去作業をしなければ成らないため、鼻の周りの皮膚が爛れる等の影響が著しかった。また、頻繁に鼻水の除去作業を行う必要があるため、デスクワークを行いながらこの手法を実行するのは現実的には無理であった。【０００４】  そこで、このような問題を解決するために、鼻栓装着器などが幾つか提案されている。
【特許文献１】特開平８−２７６４２３号公報
【特許文献２】特開２００７−６８５９８号公報
【特許文献３】特開１９９６−３１７９４９号公報
【特許文献４】特開２００７−１４７３３号公報
【考案の開示】
【考案が解決しようとする課題】
【０００５】  これらの特許文献に開示されている保持具は、構造、形状はそれぞれ異なるものの、いずれも鼻水吸収のために、鼻孔内に吸収部材を充填したり、鼻中隔周辺を強く挟み込んだり、使用者に負担をかけて装着するものが殆どであった。また、構造上、快適に使用できるものは無かった。【０００６】  まず、特許文献１のものは、最も簡単に鼻水を吸収できるが、常に鼻の下方に鼻水が溜まり、不快感が残るという問題があった。
本考案は、特許文献１のものと違って、鼻腔内に置いて鼻水を吸水保持し鼻の下方に鼻水が溜ることなく処理出来，不快感が残ることはない。という点にある。
次に、特許文献２のものは、鼻孔内に詰めて使用する吸水部材の吸水能力が非常に高いため、鼻孔内で膨張した吸水部材を長時間挿入し続けなければならず、使用者にとっては負担であった。本考案は特許文献２のものと違って、給水部材の膨張力は、鼻腔内に負担をかけない吸収部材を適用することにより使用者の負担を軽減できるという点にある。また、特許文献３の場合は、マスクあるいは顔面の一部に着脱自在に接合する固定手段を設ける必要があるため、問題があった。マスクに接合させた場合には、空気の流通を十分に確保するのが困難で、顔面の一部に接合させた場合には、皮膚への負担がかかるという問題があった。特許文献４の場合にも同様の問題があった。本項案は、特許文献３・４のものと違って、鼻腔内に置いて鼻水を吸水保持し鼻の下方に鼻水が溜ることなく処理出来，皮膚への負担も軽減でき、小鼻にかかる係止部は透明にするなど目立たない色の部材を選択し顔面への負担も含め見た目の不快感も軽減するという点にある。
【課題を解決するための手段】
【０００７】  本考案は、上記問題点を解決するために，Ｕ字形状の可撓性部材から成る係止部と、前記係止部の一端に取り付けられる吸水部とを備え、前記係止部の他端には、小鼻に接触させるための接触面が設けられていることを特徴とする。
【考案の効果】
【０００８】  本考案は、小鼻の外側には前記係止部の接触面が接触し、小鼻の内側には前記吸水部が接触するので、鼻中隔に装着する従来の器具に比べて、容易に装着することができ、使用者に不快感を与えることもない。また、この小鼻の最も出っ張ったところの付け根の位置にあるくぼみには迎香という鼻づまり、鼻水に効くつぼがありつぼを押さえることによる相乗効果も得られる。また、前記吸水部は、鼻中隔とは逆側の小鼻の内側に接触することになるので、鼻中上側には適度な間隙が形成され、呼吸が容易となる。
【考案を実施するための最良の形態】
【０００９】  以下、添付図面を用いて、本考案の実施形態について説明する。【００１０】  （第１の実施形態）
図１に示すように、本実施形態の鼻水漏れ防止器具１は、係止部２と、吸水部３とから構成される。【００１１】  係止部２は、シリコンゴム等の可撓部材から成り、正面から見て（図１における矢印  方向から見て）Ｕ字形状に形成されている。係止部２の一端は、後述するように先鋭状に形成され、吸水部３が取り付けられる。係止部２の他端は、幅広に形成された小鼻との接触面を備えている。前記先鋭状の一端と、前記他端の接触面の間隔は、小鼻の肉厚程度に気形成されており、前記先鋭状の一端に吸水部３を取り付けた状態で、吸水部３と前記接触面との間で、小鼻を挟持する構造となっている。【００１２】  吸水部３は、例えば、綿棒に使用されるポリエステル等化学繊維を用いることが出来る。形状は、図１  に示すように略球形状であり、鼻孔に詰めた状態で、鼻孔との間に若干の隙間が出来る程度の大きさにするのが好ましい。その理由は鼻水を吸水し膨脹後を考慮したものである。【００１３】  係止部２の前記一端は、図１  に示すように、先鋭状に形成されており、吸水部３が容易に取り付けられるようになっている。吸水部３の取り付け口は、係止部２の前記一端を挿入後正位置に取り付けることにより容易に外れないようになっている。【００１４】  本考案の鼻水漏れ防止器具１は、このような構造を有しているために、取り付けが容易で、肌への負担も少なく、装着観も考慮され、デスクワーク時、また、車の運転中等、鼻水を抑える薬などを服用できない場合など鼻をかむ煩わしさが軽減される。また、吸水部３の交換が容易なので、不快感を起こさせることなく使用することが可能である。【００１５】  図２  は、本考案の鼻水漏れ防止器具１を鼻に装着した状態を示す図である。図２  に示すように、鼻孔内部の小鼻側（鼻中隔とは逆側）に吸水部３を接触させて、効率良く鼻水を吸収するので、鼻腔内上部に十分な間隙を設けることができ、呼吸を容易にしつつ、確実に鼻水漏れを防止することができる。また、係止部は、小鼻の最も出っ張ったところの付け根の位置にあるくぼみを押さえる位置にあり、迎香という鼻づまり、鼻水に効くつぼがありつぼを押さえることによる相乗効果も得られる。また、係止部は，透明か肌に近い色にすることにより目立たず装着出来る。吸水部も肌に近い色に、着色したものが好ましい。【００１６】  （第２の実施形態）
第１の実施形態では、吸水部３が取り付けられる係止部２の前記一端を、先鋭状に形成したが、本考案はこれに限られるものではなく、図３  に示すように、ギザギザ状に形成してもよい。このように構成することにより、前記一端への吸水部３の取り付けを容易にしつつ、吸水部３が外れ難くなるという効果がある。
【図１】
0003150606.tif 000003
【図２】
0003150606.tif 000004
【図３】
0003150606.tif 000005
【手続補正書】
【提出日】平成21年3月24日(2009.3.24)
【手続補正１】
【補正対象書類名】明細書
【補正対象項目名】全文
【補正方法】変更
【補正の内容】
【考案の詳細な説明】
【技術分野】
【０００１】  本考案は、装着が容易で、呼吸を妨げることなく、かつ、確実に鼻水の漏れを防止することのできる鼻水漏れ防止器具に関する。
【背景技術】
【０００２】  従来、鼻水の漏れを防止するためには、その都度鼻をかむか、あるいは、ティッシュ等で鼻腔に栓をするか、もしくは、マスク全体で鼻水を吸着させる手法が採られていた。【０００３】  しかしながら、両手を使用して作業をしている時などには、鼻水が出る度に鼻をかむのは困難である。また、ティッシュ等で鼻腔に栓をするのは、見た目が悪く、特に女性には抵抗がある。さらに、マスク全体で鼻水を吸着させる手法では、何度も鼻水の除去作業をしなければ成らないため、鼻の周りの皮膚が爛れる等の影響が著しかった。また、頻繁に鼻水の除去作業を行う必要があるため、デスクワークを行いながらこの手法を実行するのは現実的には無理であった。【０００４】  そこで、このような問題を解決するために、鼻栓装着器などが幾つか提案されている。
【特許文献１】特開平８−２７６４２３号公報
【特許文献２】特開２００７−６８５９８号公報
【特許文献３】特開１９９６−３１７９４９号公報
【特許文献４】特開２００７−１４７３３号公報
【考案の開示】
【考案が解決しようとする課題】
【０００５】  これらの特許文献に開示されている保持具は、構造、形状はそれぞれ異なるものの、いずれも鼻水吸収のために、鼻孔内に吸収部材を充填したり、鼻中隔周辺を強く挟み込んだり、使用者に負担をかけて装着するものが殆どであった。また、構造上、快適に使用できるものは無かった。【０００６】  まず、特許文献１のものは、最も簡単に鼻水を吸収できるが、常に鼻の下方に鼻水が溜まり、不快感が残るという問題があった。
本考案は、特許文献１のものと違って、鼻腔内に置いて鼻水を吸水保持し鼻の下方に鼻水が溜ることなく処理出来，不快感が残ることはない。という点にある。
次に、特許文献２のものは、鼻孔内に詰めて使用する吸水部材の吸水能力が非常に高いため、鼻孔内で膨張した吸水部材を長時間挿入し続けなければならず、使用者にとっては負担であった。本考案は特許文献２のものと違って、給水部材の膨張力は、鼻腔内に負担をかけない吸収部材を適用することにより使用者の負担を軽減できるという点にある。また、特許文献３の場合は、マスクあるいは顔面の一部に着脱自在に接合する固定手段を設ける必要があるため、問題があった。マスクに接合させた場合には、空気の流通を十分に確保するのが困難で、顔面の一部に接合させた場合には、皮膚への負担がかかるという問題があった。特許文献４の場合にも同様の問題があった。本項案は、特許文献３・４のものと違って、鼻腔内に置いて鼻水を吸水保持し鼻の下方に鼻水が溜ることなく処理出来，皮膚への負担も軽減でき、小鼻にかかる係止部は透明にするなど目立たない色の部材を選択し顔面への負担も含め見た目の不快感も軽減するという点にある。
【課題を解決するための手段】
【０００７】  本考案は、上記問題点を解決するために，Ｕ字形状の可撓性部材から成る係止部と、前記係止部の一端に取り付けられる吸水部とを備え、前記係止部の他端には、小鼻に接触させるための接触面が設けられていることを特徴とする。
【考案の効果】
【０００８】  本考案は、小鼻の外側には前記係止部の接触面が接触し、小鼻の内側には前記吸水部が接触するので、鼻中隔に装着する従来の器具に比べて、容易に装着することができ、使用者に不快感を与えることもない。また、この小鼻の最も出っ張ったところの付け根の位置にあるくぼみには迎香という鼻づまり、鼻水に効くつぼがありつぼを押さえることによる相乗効果も得られる。また、前記吸水部は、鼻中隔とは逆側の小鼻の内側に接触することになるので、鼻中上側には適度な間隙が形成され、呼吸が容易となる。
【考案を実施するための最良の形態】
【０００９】  以下、添付図面を用いて、本考案の実施形態について説明する。【００１０】  （第１の実施形態）
図１に示すように、本実施形態の鼻水漏れ防止器具１は、係止部２と、吸水部３とから構成される。【００１１】  係止部２は、シリコンゴム等の可撓部材から成り、正面から見て（図１における矢印  方向から見て）Ｕ字形状に形成されている。係止部２の一端は、後述するように先鋭状に形成され、吸水部３が取り付けられる。係止部２の他端は、幅広に形成された小鼻との接触面を備えている。前記先鋭状の一端と、前記他端の接触面の間隔は、小鼻の肉厚程度に気形成されており、前記先鋭状の一端に吸水部３を取り付けた状態で、吸水部３と前記接触面との間で、小鼻を挟持する構造となっている。【００１２】  吸水部３は、例えば、綿棒に使用されるポリエステル等化学繊維を用いることが出来る。形状は、図  に示すように略球形状であり、鼻孔に詰めた状態で、鼻孔との間に若干の隙間が出来る程度の大きさにするのが好ましい。その理由は鼻水を吸水し膨脹後を考慮したものである。【００１３】  係止部２の前記一端は、図１  に示すように、先鋭状に形成されており、吸水部３が容易に取り付けられるようになっている。吸水部３の取り付け口は、係止部２の前記一端を挿入後正位置に取り付けることにより容易に外れないようになっている。【００１４】  本考案の鼻水漏れ防止器具１は、このような構造を有しているために、取り付けが容易で、肌への負担も少なく、装着観も考慮され、デスクワーク時、また、車の運転中等、鼻水を抑える薬などを服用できない場合など鼻をかむ煩わしさが軽減される。また、吸水部３の交換が容易なので、不快感を起こさせることなく使用することが可能である。【００１５】  図２  は、本考案の鼻水漏れ防止器具１を鼻に装着した状態を示す図である。図２  に示すように、鼻孔内部の小鼻側（鼻中隔とは逆側）に吸水部３を接触させて、効率良く鼻水を吸収するので、鼻腔内上部に十分な間隙を設けることができ、呼吸を容易にしつつ、確実に鼻水漏れを防止することができる。また、係止部は、小鼻の最も出っ張ったところの付け根の位置にあるくぼみを押さえる位置にあり、迎香という鼻づまり、鼻水に効くつぼがありつぼを押さえることによる相乗効果も得られる。また、係止部は，透明か肌に近い色にすることにより目立たず装着出来る。吸水部も肌に近い色に、着色したものが好ましい。【００１６】  （第２の実施形態）
第１の実施形態では、吸水部３が取り付けられる係止部２の前記一端を、先鋭状に形成したが、本考案はこれに限られるものではなく、図３  に示すように、ギザギザ状に形成してもよい。このように構成することにより、前記一端への吸水部３の取り付けを容易にしつつ、吸水部３が外れ難くなるという効果がある。【００１７】  また、係止部２は、透明にする等、目立たない色の部材を選択した方が好ましい。透明以外では、肌色に着色することも考えられる。【００１８】  さらに、係止部２の前記他端の接触面の形状は、第一の実施形態では涙形状としたが、本考案はこれに限定されるものではなく、図  に示すように、平板型、楕円型等であってもよい。【００１９】  なお上記実施形態における各部の材質・大きさ、の素材・形状などは一例であり、本考案の目的・効果を奏する範囲におけるそれらの構造上の全体もしくは部分的変更は本考案の自由な実施の範疇に属するものである。
【産業上の利用可能性】  本考案は、綿棒などのように、医療用、家庭用、スポーツ用の衛生器具の製造・販売に利用可能である。
【図面の簡単な説明】
【図１】  本考案の鼻水漏れ防止器具の斜視図である。
【図２】  本考案の鼻水漏れ防止器具の装着状態を示す図である。
【図３】  本考案の鼻水漏れ防止器具の斜視図である。
【符号の説明】１  鼻水漏れ防止器具
２  係止部
３  吸水部